(57)【要約】【課題】支持部材の後端部が保持部材から不用意に外れるおそれがない上、保持部材をよりコンパクトにすることができる仮設足場用朝顔装置を提供する。【解決手段】仮設足場用朝顔装置1は、メッシュシート7が張り止められる方形枠6の一部を構成する縦枠部材3の長さ中間部に支持部材8の前端部が回動自在に連結され、支柱S1に取り付けられた保持部材9によって支持部材の後端部が保持されている。支持部材の後端部に、軸部111および頭部112を有する係合ピン11が突出状に取り付けられている。保持部材の保持壁部911に、上下方向にのびる案内溝12と、案内溝の複数の高さ位置から前方にのびた係止溝13A,13B,13C,13Dとが形成されている。保持壁部の案内溝後側縁における最下位の係止溝を除いた各係止溝の開口のほぼ幅中央に対応する高さ位置に、係止ピン脱落防止用突起16が形成されている。【選択図】図３
2019157483.tif 000002
【特許請求の範囲】
【請求項１】
仮設足場における左右に間隔をおいて並んだ複数の支柱の前側部の所定高さ位置にそれぞれ連結部材が取り付けられ、各連結部材に縦枠部材の後端部が左右方向にのびる水平軸を中心として回動自在に連結され、左右に隣り合う２つの支柱の前方に位置する２つの縦枠部材の前端部どうしおよび後端部どうしにそれぞれ前部横枠部材および後部横枠部材が渡し止められるとともに、両縦枠部材、前部横枠部材および後部横枠部材によって形成された方形枠に面材が張り止められ、各縦枠部材の前端部または長さ中間部に棒状の支持部材の前端部が水平軸を中心として回動自在に連結され、各支柱の前側部における連結部材よりも下方位置に支持部材の後端部を保持する保持部材が取り付けられている仮設足場用朝顔装置であって、
各支持部材の後端部に、左右方向にのびる水平な軸部および軸部の先端に設けられた頭部を有する係合ピンが突出状に取り付けられており、
各保持部材は、両面を左右に向けた垂直な保持壁部を有しており、保持壁部に、上下方向にのびかつ係合ピンの軸部を通しうるが係合ピンの頭部を通せない幅を有する案内溝と、案内溝における下端位置を含む所定の複数の高さ位置からそれぞれ前方にのびた複数の係止溝とが形成されており、縦枠部材の所定の複数の揺動角度に応じて支持部材の後端部の位置が上下方向に移動するのに合わせて、係合ピンの軸部を各係止溝の奥底部の縁によって係止しうるようになされており、
保持壁部における案内溝の後側縁には、最下位の係止溝を除いた各係止溝の開口のほぼ幅中央に対応する高さ位置に、同開口に向かって突出した係止ピン脱落防止用突起が形成されている、仮設足場用朝顔装置。
【請求項２】
案内溝は、最下位の係止溝を除いた各係止溝の上方部分に、面材付き方形枠が略垂直上向きの状態から落下した時に係止ピンの軸部が上記各係止溝に侵入するのを阻止する後ろ向きの曲がり部を有している、請求項１記載の仮設足場用朝顔装置。
【発明の詳細な説明】
【技術分野】
【０００１】
この発明は、仮設足場に張り出し状に設置して、仮設足場からの資材や工具等の落下による事故を防止するために用いられる仮設足場用朝顔装置に関する。
【背景技術】
【０００２】
仮設足場用朝顔装置として、例えば、下記の特許文献１に示すように、仮設足場における左右に並んだ２つの支柱の前側部の所定高さ位置にそれぞれに取り付けられている２つの連結部材と、後端部が各連結部材に左右方向にのびる水平軸を中心として回動自在に連結されている２つの揺動可能な縦枠部材と、両縦枠部材の前端部どうしおよび後端部どうしにそれぞれ渡し止められている前部横枠部材および後部横枠部材と、両縦枠部材、前部横枠部材および後部横枠部材によって形成された方形枠に張り止められているシート等の面材と、前端部が各縦枠部材の前端部または長さ中間部に回動自在に連結されている棒状の支持部材と、各支柱の前側部における連結部材よりも下方位置に取り付けられ、支持部材の後端部を保持している２つの保持部材とを備えてなるものが知られている。
各支持部材の後端部には、左右いずれか一方に向かって突出した水平な軸部および軸部の先端に設けられた頭部を有する係合ピンが取り付けられている。
各保持部材は、上下にのびる角筒体よりなり、その左右側壁には、上下にのびる案内溝が形成されている。案内溝の幅は、係合ピンの軸部の外径より大きくかつ係合ピンの頭部の外径よりも小さいものとなされている。また、各保持部材の左右側壁には、案内溝の上端部近傍に、後方に突出しかつ係合ピンの頭部の外径よりも大きい導入溝が形成されており、この導入溝を通して係合ピンの軸部が案内溝に挿通されるようになっている。さらに、各保持部材の左右側壁には、案内溝における所定の複数の高さ位置から前方に短くのびた係止溝が形成されており、予め設定した方形枠の複数の揺動角度に応じて支持部材の下端部の位置が上下方向に移動するのに合わせて、係合ピンの軸部を各係止溝の奥底部の縁によって係止しうるようになっている。
【先行技術文献】
【特許文献】
【０００３】
【特許文献１】特許第５９９９５３９号公報
【発明の概要】
【発明が解決しようとする課題】
【０００４】
上記の朝顔装置では、面材付き方形枠の開閉操作を行う際に、案内溝と最下位の係止溝を除く各係止溝とが交差する箇所において、係合ピンの頭部が抉れて外れないようにするために、係合ピンの頭部を十分に大きくしておく必要があり、それに合わせて保持部材も全体のサイズが大きくなってしまうため、保持部材をコンパクト化するのが困難であった。
また、上記の朝顔装置の場合、例えば台風等の強風時には、面材付き方形枠を、ほぼ垂直上向きとなるように閉じて、仮設足場の支柱にロープで縛り付けておくことが行われる。このように面材付き方形枠が閉じた状態の時、支持部材の係合ピンは、保持部材の案内溝の上端部付近に位置しているが、何らかの原因でロープが緩んでしまうと、面材付き方形枠が風圧を受けて開方向に向かって落下する。この際、面材付き方形枠が最も大きく開いた位置で止まる、すなわち、支持部材の係合ピンの軸部が保持部材の最下位の係止溝の縁に係り止められると、支持部材に作用する風圧等の荷重が最も小さくなるが、それよりも上位の係止溝に係合ピンの軸部が入り込んでその縁に係り止められてしまうと、支持部材に大きな荷重が作用して変形や破損が生じるおそれがある。そのような事態を回避するためには、支持部材の耐荷重強度を十分に大きくしておく必要があるが、それによって支持部材の重量が大きくなり、コストも増大するおそれがあった。
【０００５】
この発明は、上記の課題に鑑みてなされたものであって、支持部材の後端部が保持部材から不用意に外れるおそれがない上、保持部材をコンパクトにすることができる仮設足場用朝顔装置を提供することを目的としている。
また、この発明のもう１つの目的は、支持部材の耐荷重強度を必要以上に大きくすることなく、面材付き方形枠の落下による支持部材の変形や破損を防止することができる仮設足場用朝顔装置を提供することにある。
【課題を解決するための手段】
【０００６】
この発明は、上記の目的を達成するために、以下の態様からなる。
なお、この発明を特定するに当たり、仮設足場側（例えば図１の左側）を「後」、朝顔装置側（例えば図１の右側）を「前」といい、また、「左右」は、前から見た場合をいうものとする。
【０００７】
１）仮設足場における左右に間隔をおいて並んだ複数の支柱の前側部の所定高さ位置にそれぞれ連結部材が取り付けられ、各連結部材に縦枠部材の後端部が左右方向にのびる水平軸を中心として回動自在に連結され、左右に隣り合う２つの支柱の前方に位置する２つの縦枠部材の前端部どうしおよび後端部どうしにそれぞれ前部横枠部材および後部横枠部材が渡し止められるとともに、両縦枠部材、前部横枠部材および後部横枠部材によって形成された方形枠に面材が張り止められ、各縦枠部材の前端部または長さ中間部に棒状の支持部材の前端部が水平軸を中心として回動自在に連結され、各支柱の前側部における連結部材よりも下方位置に支持部材の後端部を保持する保持部材が取り付けられている仮設足場用朝顔装置であって、
各支持部材の後端部に、左右方向にのびる水平な軸部および軸部の先端に設けられた頭部を有する係合ピンが突出状に取り付けられており、
各保持部材は、両面を左右に向けた垂直な保持壁部を有しており、保持壁部に、上下方向にのびかつ係合ピンの軸部を通しうるが係合ピンの頭部を通せない幅を有する案内溝と、案内溝における下端位置を含む所定の複数の高さ位置からそれぞれ前方にのびた複数の係止溝とが形成されており、縦枠部材の所定の複数の揺動角度に応じて支持部材の後端部の位置が上下方向に移動するのに合わせて、係合ピンの軸部を各係止溝の奥底部の縁によって係止しうるようになされており、
保持壁部における案内溝の後側縁には、最下位の係止溝を除いた各係止溝の開口のほぼ幅中央に対応する高さ位置に、同開口に向かって突出した係止ピン脱落防止用突起が形成されている、仮設足場用朝顔装置。
【０００８】
２）案内溝は、最下位の係止溝を除いた各係止溝の上方部分に、面材付き方形枠が略垂直上向きの閉じた状態から落下した時に係止ピンの軸部が上記各係止溝に侵入するのを阻止する後ろ向きの曲がり部を有している、上記１）の仮設足場用朝顔装置。
【発明の効果】
【０００９】
上記１）の仮設足場用朝顔装置によれば、保持壁部における案内溝の後側縁における最下位の係止溝を除いた各係止溝の開口のほぼ幅中央に対応する高さ位置に、係止ピン脱落防止用突起が形成されているので、上記特許文献１記載の朝顔装置と比べて、係合ピンの頭部を小さくしても、面材付き方形枠の開閉操作を行う際に、案内溝と最下位の係止溝を除く各係止溝とが交差する箇所において、係合ピンの頭部が抉れて外れるおそれがなく、保持部材をよりコンパクトにすることが可能である。
【００１０】
上記２）の仮設足場用朝顔装置によれば、案内溝が、最下位の係止溝を除いた各係止溝の上方部分に、後ろ向きの曲がり部を有しているので、面材付き方形枠が略垂直上向きの閉じた状態から落下した時に係止ピンの軸部が上記各係止溝に侵入するのが阻止されるので、上記特許文献１記載の朝顔装置と比べて、支持部材の耐荷重強度を必要以上に大きくすることなく、面材付き方形枠の落下による支持部材の変形や破損を防止することができる。
【図面の簡単な説明】
【００１１】
【図１】この発明の第１の実施形態に係る仮設足場用朝顔装置の側面図である。
【図２】同装置の平面図である。
【図３】同装置の保持部材の拡大側面図である。
【図４】図３のＡ−Ａ線に沿う部分拡大水平断面図である。
【図５】同保持部材における案内溝と最下位以外の３つの係止溝との交差部分をそれぞれ拡大して示す側面図である。
【図６】この発明の第２の実施形態に係る仮設足場用朝顔装置の保持部材を拡大して示す側面図である。
【図７】同保持部材における案内溝と最下位以外の３つの係止溝との交差部分をそれぞれ拡大して示す側面図である。
【発明を実施するための形態】
【００１２】
＜第１の実施形態＞
図１〜図５は、この発明の第１の実施形態に係る仮設足場用朝顔装置(1)を示したものである。
ここで、図示の仮設足場(S)は、くさび緊結式の足場であって、所要数の支柱(S1)が、間隔をおいて前後２列にかつ列ごとに左右方向に間隔をおいて立てられている。各支柱(S1)の表面における前後左右それぞれの側部に、平面より見てコ字形の複数のソケット金具(S11)が、上下方向に所定間隔おきに溶接固定されている。前後に並んだ２つの支柱(S1)の所定高さ位置において互いに向かい合う前後側部のソケット金具(S11)に、横桟(S2)の両端部に垂下状に設けられたくさび状のインサート金具(S21)が上方から挿入され、それによって両支柱(S1)と横桟(S2)とが連結されている。左右に隣り合う２つの横桟(S2)に、踏板(S3)の左右端部に設けられたフック(S31)が掛け止められ、それによって両横桟(S2)に踏板(S3)が渡し止められている。隣り合う２つの支柱(S1)の所定高さ位置において互いに向かい合う左右側部のソケット金具(S11)に、手摺(S4)の両端部に垂下状に設けられたくさび状のインサート金具（図示略）が挿入され、それによって両支柱(S1)に手摺(S4)が渡し止められている。
なお、この発明による朝顔装置は、上記構造の仮設足場(S)に限らず、例えばソケット金具の種類や配置が異なる他のくさび緊結式足場や、枠組足場、単管足場にも設置可能である。
【００１３】
図１，２に示すように、この実施形態の仮設足場用朝顔装置(1)は、仮設足場(S)における左右に間隔をおいて並んだ複数の前列の支柱(S1)の前側部の所定高さ位置にそれぞれ連結部材(2)が取り付けられ、各連結部材(2)に縦枠部材(3)の後端部が左右方向にのびる水平軸を中心として回動自在に連結され、左右に隣り合う２つの支柱(S1)の前方に位置する２つの縦枠部材(3)の前端部どうしおよび後端部どうしにそれぞれ前部横枠部材(4)および後部横枠部材(5)が渡し止められるとともに、両縦枠部材(3)、前部横枠部材(4)および後部横枠部材(5)によって形成された方形枠(6)に面材(7)が張り止められ、各縦枠部材(2)の前端部または長さ中間部に棒状の支持部材(8)の前端部が水平軸を中心として回動自在に連結され、各支柱(S1)の前側部における連結部材(2)よりも下方位置に支持部材(8)の後端部を保持する保持部材(9)が取り付けられているものである。
【００１４】
連結部材(2)は、垂直板状部(21)と、垂直板状部(21)の前縁に連なって設けられた平面より見て前方に開口したコ字形の連結部(22)とを備えている。
垂直板状部(21)には、支柱(S1)に締付固定可能なクランプ(23)が取り付けられている。
連結部(22)の内側には、縦枠部材(3)の後端部を挿入しうる２つの挿入筒体(24)が、左右に並んで配されている。両挿入筒体(24)は、これらの一端部を緩く貫通して連結部(22)の左右側壁に渡し止められた連結軸により、連結部(22)に個別に揺動自在に連結されている。
なお、連結部材(2)の構造は上記に限定されるものではなく、例えば、２つの挿入筒体(24)を設けずに、連結部(22)に縦枠部材(3)の後端部を直接取り付けるようにしてもよい。また、クランプ(23)に代えて若しくはクランプ(23)に加えて、支柱(S1)の前側部のソケット金具(S11)に挿入可能なくさび状のインサート金具を連結部材(2)に設けてもよい。さらに、朝顔装置(1)のサイズが小さい場合には、連結部材(2)と保持部材(9)とを一体の構造としてもよい。
【００１５】
縦枠部材(3)は、金属製の角筒材または角棒材よりなり、その後端部が連結部材(2)の挿入筒体(24)に挿入されて、例えばロックピン（図示略）により挿入筒体(24)に固定されている。これにより、縦枠部材(3)は、後端部を中心として上下揺動自在となされている。
図２に示すように、複数の朝顔装置(1)を左右に並べて設置する場合、両端に位置する支柱(S1)に取り付けられた連結部材(2)の２つの挿入筒体(24)のうち内側のもののみに縦枠部材(3)の後端部が挿入され、中間に位置する支柱(S1)に取り付けられた連結部材(2)の２つの挿入筒体(24)それぞれに縦枠部材(3)の後端部が挿入される。
【００１６】
前部横枠部材(4)および後部横枠部材(5)も、それぞれ金属製の角筒材または角棒材よりなり、これらの両端部が、適宜の連結手段によって、隣り合う２つの縦枠部材(3)の前端部および後端部にそれぞれ連結固定され、それによって方形枠(6)が形成されている。
なお、図示は省略したが、方形枠(6)の構造材として、さらに筋交いを設けるようにしてもよい。
【００１７】
面材は、方形枠(6)を被覆しうる大きさを有する方形状のメッシュシート(7)よりなる。
メッシュシート(7)の周縁部には、方形枠(6)を構成する２つの縦枠部材(3)、前部横枠部材(4)および後部横枠部材(5)の各上面に設けられたＬ形ピン(61)および折れピン(62)がそれぞれ嵌め入れられる複数のハトメ(71)が取り付けられている（図２参照）。すなわち、メッシュシート(7)のハトメ(71)に、方形枠(6)のＬ形ピン(61)および折れピン(62)を嵌め入れることにより、メッシュシート(7)が方形枠(6)に張り止められている。
また、メッシュシート(7)は、後部横枠部材(5)よりも後方にはみ出したはみ出し部(72)を有している。はみ出し部(72)は、上方に折り返されて、例えば紐により２つの支柱(S1)に取り付けられており、同はみ出し部(72)によって、メッシュシート(7)と仮設足場(S)の前面との間に隙間が生じないようになされている。
なお、メッシュシート(7)に代えて、例えばＦＲＰ製のパネルを、面材として方形枠(6)に張り止めるようにしてもよい。
【００１８】
支持部材(8)は、金属製の角筒材または角棒材よりなる。
支持部材(8)の前端部は、縦枠部材(3)の長さ中間部（または前端部）に垂下状に設けられた左右１対の取付ブラケット(31)に、左右方向にのびる水平な連結軸によって回動自在に連結されている。
支持部材(8)上面の後端部に、係合ピン(11)が取り付けられている。係合ピン(11)は、支持部材(8)の左右側壁の後端部を貫通して両端部が左右側壁から突出させられた水平な軸部(111)と、軸部(111)の両端に設けられた頭部(112)とを有している（図３，４参照）。なお、この実施形態の係合ピン(11)は、左右いずれの側の縦枠部材(3)を支持するための支持部材(8)としても使用しうるように、左右両端部に頭部(112)を有するものとなされているが、係合ピン(11)を支持部材(8)の後端部から左右いずれか一方のみに突出するように設けて、その突出端部のみに頭部を有するものとしてもよい。また、係合ピン(11)は、支持部材(8)の上壁、後端壁または下壁の後端部に溶接固定するようにしてもよい。
【００１９】
保持部材(9)は、上下にのびる角筒部(91)と、角筒部(91)から後方に突出した上下２つの垂直板状部(92)とを備えている。そして、両垂直板状部(92)に、支柱(S1)に締付固定可能なクランプ(93)がそれぞれ取り付けられている。なお、少なくとも一方のクランプ(93)に代えて、支柱(S1)の前側部のソケット金具(S11)に挿入可能なくさび状のインサート金具を連結部材(9)に設けてもよい。
角筒部(91)の左右各側壁により、両面を左右に向けた垂直な保持壁部(911)が形成されている。
保持壁部(911)には、上下方向にのびかつ係合ピン(11)の軸部(111)を通しうるが係合ピン(11)の頭部(112)を通せない幅を有する案内溝(12)と、案内溝(12)における下端位置を含む所定の複数（ここでは４つ）の高さ位置からそれぞれ前方にのびた複数の係止溝(13A)(13B)(13C)(13D)とが形成されている。各係止溝(13A)(13B)(13C)(13D)も、案内溝(12)と同様に、係合ピン(11)の軸部(111)を通しうるが係合ピン(11)の頭部(112)を通せない幅を有している。そして、縦枠部材(3)の所定の複数（ここでは４つ）の揺動角度に応じて支持部材(8)の後端部の位置が上下方向に移動するのに合わせて、係合ピン(11)の軸部(111)を各係止溝(13A)(13B)(13C)(13D)の奥底部の縁によって係止しうるようになっている。案内溝(12)は、図示のものは、垂直方向にのびているが、上方に向かって斜め前方にのびるように形成してもよい。また、図３に示すように、各係止溝(13A)(13B)(13C)(13D)は、支持部材(8)の前端部の回動中心（連結軸の中心）と各係止溝(13A)(13B)(13C)(13D)の奥底部の縁に係止された係合ピン(11)の軸部(111)の中心とを結んだ直線(X)と直交する方向(Y)にのびており、それぞれ傾斜角度が異なっている。
さらに、保持壁部(911)には、案内溝(12)の上端に連なって、前方に向かって「く」字状に屈曲させられた連通溝(14)が形成されているとともに、連通溝(14)の上端に連なってその下方に、係合ピン(11)の頭部(112)を通しうる導入孔(15)が形成されている。この導入孔(15)に係合ピン(11)の頭部(112)を通してから、係合ピン(11)の軸部(111)を、連通溝(14)を経て案内溝(12)に通しうるようになっている。なお、連通溝(14)の方向や導入孔(15)の配置は、図示のものに限らず、上記の機能を奏しうるものであれば適宜変更可能である。
【００２０】
図５に詳しく示すように、保持壁部(911)における案内溝(12)の後側縁には、最下位の係止溝(13D)を除いた各係止溝(13A)(13B)(13C)の開口のほぼ幅中央に対応する高さ位置に、同開口に向かって突出した係止ピン脱落防止用突起(16)が形成されている。各突起(16)は、緩やかに隆起した山形となされている。各突起(16)の高さは、係合ピン(11)の軸部(111)の上下移動を妨げない範囲で適宜に設定すればよいが、例えば各突起(16)の頂部と各係止溝(13A)(13B)(13C)の開口上縁または開口下縁との間隔が、係合ピン(11)の軸部(111)の直径よりも僅かに大きい程度となされる。
面材(7)付き方形枠(6)の開閉操作に伴って、係合ピン(11)の軸部(111)が案内溝(12)と上記各係止溝(13A)(13B)(13C)との交差部を通過する際、係合ピン(11)の頭部(112)は、左右方向から見て、各突起(16)と上記各係止溝(13A)(13B)(13C)の開口上縁部および／または開口下縁部とに重なるようになる。従って、係合ピン(11)の頭部(112)のサイズを、案内溝(12)および上記各係止溝(13A)(13B)(13C)の幅より大きくなる範囲で極力小さくしても、上記交差部において係合ピン(11)の頭部(112)が抉れて外れるおそれがない。そして、係合ピン(11)の頭部(112)を小さくすることにより、保持壁部(911)を構成する角筒部(91)のサイズをよりコンパクトにすることができ、ひいては保持部材(9)全体のサイズをよりコンパクトにすることができる。
【００２１】
図１に示すように、縦枠部材(3)の前端部および支持部材(8)下面の長さ中間部に、それぞれ逆Ｕ形の紐取付部(32)(81)が設けられている。
そして、縦枠部材(3)の紐取付部(32)に一端部が取り付けられた紐(17)が、連結部材(2)よりも上方位置において隣り合う２つの支柱(S1)に渡し止められている手摺(S4)に上から引っ掛けられて下方に垂らされ、紐(17)の他端部が支持部材(8)の紐取付部(81)に取り付けられている。この紐(17)を、踏板(S3)の上に乗った作業員が、下方に繰り出すかまたは上方に引っ張ることにより、メッシュシート(7)付き方形枠(6)の傾斜角度を調整することができる。
台風等の強風時には、上記紐(17)を操作して、図１に二点鎖線で示すようにメッシュシート(7)付き方形枠(6)を略垂直上向きの閉じた状態となる位置まで揺動させ、この状態で方形枠(6)を固定用ロープ(18)によって支柱に結び留めておく。なお、この時、係合ピン(11)の軸部(111)は、案内溝(12)の上端付近に位置している（図３，５参照）。
【００２２】
＜第２の実施形態＞
図６，７は、この発明の第２の実施形態に係る仮設足場用朝顔装置(1)を示したものである。
図示の朝顔装置(1X)は、以下の点を除いて、図１〜５に示す第１の実施形態に係る朝顔装置(1)と実質的に同じである。
すなわち、第２の実施形態の朝顔装置(1X)では、案内溝(12)が、最下位の係止溝(13D)を除いた各係止溝(13A)(13B)(13C)の上方部分に、メッシュシート(7)付き方形枠(6)が略垂直上向きの状態から落下した時に係止ピン(11)の軸部(111)が上記各係止溝(13A)(13B)(13C)に侵入するのを阻止する後ろ向きの曲がり部(121)を有しているものである。
上記の仮設足場用朝顔装置(1X)にあっては、案内溝(12)が上記各部分に曲がり部(121)を有しているので、台風時等の養生のために略垂直上向きの閉じた状態となされたメッシュシート(7)付き方形枠(6)が、固定用ロープ(18)の緩み等によって不用意に落下した時でも、係止ピン(11)の軸部(111)が、案内溝(12)から最下位以外の各係止溝(13A)(13B)(13C)に侵入することなく、案内溝(12)の下端まで落下した後、最下位の係止溝(13D)に侵入してその奥底部の縁に係り止められ、メッシュシート(7)付き方形枠(6)が最も大きく開いた状態となり、支持部材(8)に作用する風圧等の荷重が最小となる。
従って、第２の実施形態の朝顔装置(1X)によれば、上記特許文献１記載の朝顔装置と比べて、支持部材(8)の耐荷重強度を必要以上に大きくすることなく、メッシュシート(7)付き方形枠(6)の不用意な落下による支持部材(8)の変形や破損を確実に防止することができる。
【産業上の利用可能性】
【００２３】
この発明は、仮設足場に張り出し状に設置して、仮設足場からの資材や工具等の落下による事故を防止する朝顔装置として好適に用いられる。
【符号の説明】
【００２４】
(S)：仮設足場
(S1)：支柱
(1)(1X)：仮設足場用朝顔装置
(2)：連結部材
(3)：縦枠部材
(4)：前部横枠部材
(5)：後部横枠部材
(6)：方形枠
(7)：メッシュシート（面材）
(8)：支持部材
(9)：連結部材
(91)：角筒部
(911)：保持壁部
(11)：係合ピン
(111)：軸部
(112)：頭部
(12)：案内溝
(121)：曲がり部
(13A)(13B)(13C)(13D)：係止溝
(16)：係止ピン脱落防止用突起
【図１】
2019157483.tif 000003
【図２】
2019157483.tif 000004
【図３】
2019157483.tif 000005
【図４】
2019157483.tif 000006
【図５】
2019157483.tif 000007
【図６】
2019157483.tif 000008
【図７】
2019157483.tif 000009